(57)【要約】【課題】音楽のレコーディング作業の自由度を向上し、効率的に協同して行う。【解決手段】複数のトラックからなる音楽データを、通信ネットワーク１２を介して作成するための録音システムであって、作曲者によって作曲された曲の設定情報を送信するためのユーザー端末１０ａと、ユーザー端末１０ａから設定情報を受信して設定ファイルが作成される録音サーバー１３と、録音者が録音サーバー１３に音楽トラックデータを送信するためのユーザー端末１０ｂと、編集者が録音サーバー１３に記録されている複数のトラックからなる音楽トラックデータを編集して音楽マスタデータを作成するためのユーザー端末１０ｃとを備える。【選択図】  図１
2005017706.tif 000002
【特許請求の範囲】
【請求項１】
複数のトラックからなる音楽データを、通信ネットワークを介して作成するための録音システムであって、
作曲者によって作曲された曲の設定情報を送信するための第１の情報処理端末と、
前記第１の情報処理端末から前記設定情報を受信して設定ファイルが作成される録音サーバーと、
録音者が前記録音サーバーに音楽トラックデータを送信するための第２の情報処理端末と、
編集者が前記録音サーバーに記録されている複数のトラックからなる音楽トラックデータを編集して音楽マスタデータを作成するための第３の情報処理端末とを備えることを特徴とする録音システム。
【請求項２】
前記録音サーバーには、録音者が前記第２の情報処理端末で録音された複数のトラックからなる音楽トラックデータが記録される請求項１に記載の録音システム。
【請求項３】
前記第３の情報処理端末によって、前記録音サーバーから、複数のトラックからなる音楽トラックデータを受信し、前記音楽トラックデータを編集する請求項１または２に記載の録音システム。
【請求項４】
前記第３の情報処理端末によって複数のトラックからなる音楽トラックデータが編集された際、前記第３の情報処理端末が、前記設定ファイルに基づいて音楽トラックデータの編集内容に対応するマスタ設定ファイルを作成し、前記マスタ設定ファイルを前記録音サーバーに送信する請求項１ないし３のいずれか１項に記載の録音システム。
【請求項５】
注文者が複数のトラックからなる音楽データを前記録音サーバーからダウンロードするための第４の情報処理端末を備える請求項１ないし４のいずれか１項に記載の録音システム。
【請求項６】
前記録音サーバーは、前記マスタ設定ファイルに基づいて、前記音楽トラックデータから前記音楽マスタデータを生成し、前記第４の情報処理端末に送信する請求項１ないし５のいずれか１項に記載の録音システム。
【請求項７】
複数のトラックからなる音楽データを、録音サーバーによって通信ネットワークを介して作成するための録音方法であって、
作曲者の第１の情報処理端末によって作曲された曲の設定情報を前記録音サーバーに送信するステップと、
前記録音サーバーによって前記第１の情報処理端末から前記設定情報を受信して前記録音サーバーに設定ファイルを作成するステップと、
録音者の第２の情報処理端末によって前記録音サーバーに音楽トラックデータを送信するステップと、
編集者の第３の情報処理端末によって、前記録音サーバーに記録されている複数のトラックからなる音楽トラックデータを編集して音楽マスタデータを作成するステップとを有することを特徴とする録音方法。
【請求項８】
複数のトラックからなる音楽データを、通信ネットワークを介して作成するための録音システムにおける録音サーバーであって、
作曲者の第１の情報処理端末によって作曲された曲の設定情報を前記第１の情報処理端末から受信して設定ファイルを作成し、録音者の第２の情報処理端末から音楽トラックデータを受信し、編集者の第３の情報処理端末によって複数のトラックからなる前記音楽トラックデータが編集された音楽マスタデータが作成されることを特徴とする録音サーバー。
【請求項９】
前記第３の情報処理端末によって複数のトラックからなる音楽トラックデータが編集された際、前記設定ファイルに基づいて作成された音楽トラックデータの編集内容に対応するマスタ設定ファイルを前記第３の情報処理端末から受信する請求項８に記載の録音サーバー。
【請求項１０】
複数のトラックからなる音楽データを、録音サーバーによって通信ネットワークを介して作成するためのコンピュータプログラムであって、
作曲者の第１の情報処理端末によって作曲された曲の設定情報を前記第１の情報処理端末から受信して設定ファイルを作成し、録音者の第２の情報処理端末から音楽トラックデータを受信し、編集者の第３の情報処理端末によって複数のトラックからなる前記音楽トラックデータが編集された音楽マスタデータが作成される処理をコンピュータに実行させることを特徴とするコンピュータプログラム。
【請求項１１】
前記第３の情報処理端末によって複数のトラックからなる音楽トラックデータが編集された際、前記設定ファイルに基づいて作成された音楽トラックデータの編集内容に対応するマスタ設定ファイルを前記第３の情報処理端末から受信する処理を実行する請求項１０に記載のコンピュータプログラム。
【発明の詳細な説明】
【０００１】
【発明の属する技術分野】
本発明は、音楽のレコーディング作業を、通信ネットワークを介して行うための録音システムおよび録音方法に関する。
【０００２】
【従来の技術】
従来、音楽を録音するレコーディング作業は、各種の録音機材等を操作する操作者や、実際に演奏する演奏者や、編集者等によって共同作業で行われている。この種のレコーディング作業は、一般に、録音機材が設置されている録音スタジオ等の施設に、演奏者や編集者等が集合して行われている。
【０００３】
また一方で、ネットワークを介して音楽の作曲や編曲するシステムとしては、携帯電話機の着信音のメロディを、ネットワークを介して作曲および編集する通信装置が開示されている（例えば、特許文献１参照。）。
【０００４】
【特許文献１】
２００２−１７１３４６号公報（図１）
【０００５】
【発明が解決しようとする課題】
上述したように、従来、音楽トラックデータを録音する際には、実際の録音機材が設置されている録音スタジオ等の施設に、各種の録音機材等の操作者と、実際に演奏する演奏者が行かなくて録音することができないという不都合があった。
【０００６】
したがって、従来のレコーディング作業では、操作者と演奏者の両者が、都合を合わせて所定の時間に所定の場所に集合する必要があった。また同様に、編集作業を行う場合も、実際の録音機材等が設置されている音楽スタジオに編集者が行く必要があった。
【０００７】
すなわち、従来のレコーディング作業は、所定の録音スタジオで待ち合わせて協同作業を行う必要があることで、時間および場所を限定されるため、演奏者や編集者等の創造的な活動の自由度が損なわれていた。
【０００８】
また、上述した特許文献１の通信装置では、複数のユーザー端末によって録音や編集を協同して行うことが困難であった。
【０００９】
そこで、本発明は、音楽のレコーディング作業の自由度を向上し、効率的に協同して行うことができる録音システムおよび録音方法を提供することを目的とする。
【００１０】
【課題を解決するための手段】
上述した目的を達成するため、本発明に係る録音システムは、複数のトラックからなる音楽データを、通信ネットワークを介して作成するための録音システムであって、作曲者によって作曲された曲の設定情報を送信するための第１の情報処理端末と、第１の情報処理端末から設定情報を受信して設定ファイルが作成される録音サーバーと、録音者が録音サーバーに音楽トラックデータを送信するための第２の情報処理端末と、編集者が録音サーバーに記録されている複数のトラックからなる音楽トラックデータを編集して音楽マスタデータを作成するための第３の情報処理端末とを備える。
【００１１】
以上のように構成した本発明に係る録音システムによれば、各第１、第２および第３の情報処理端末によって、インターネット等の通信ネットワークを介して、録音サーバーに設定情報、音楽トラックデータを送信し、音楽トラックデータを編集することによって音楽マスタデータが作成される。すなわち、本発明に係る録音システムによれば、いわゆる、音楽トラックデータのレコーディング、およびマスタリング、音楽マスタデータである音楽データを入手する各作業を、通信ネットワークを介して行うことが可能になる。
【００１２】
また、本発明に係る録音システムは、第３の情報処理端末によって複数のトラックからなる音楽トラックデータが編集された際、第３の情報処理端末が、設定ファイルに基づいて音楽トラックデータの編集内容に対応するマスタ設定ファイルを作成し、マスタ設定ファイルを録音サーバーに送信することが好ましい。これによって、マスタ設定ファイルに基づいて音楽マスタデータを生成することで、実際の音楽トラックデータを直接加工することなく、音楽マスタデータを得ることが可能になり、必要な回数だけ何回でも、自由に編集することが可能になる。
【００１３】
また、本発明に係る録音方法は、複数のトラックからなる音楽データを、録音サーバーによって通信ネットワークを介して作成するための録音方法であって、作曲者の第１の情報処理端末によって作曲された曲の設定情報を録音サーバーに送信するステップと、録音サーバーによって第１の情報処理端末から設定情報を受信して録音サーバーに設定ファイルを作成するステップと、録音者の第２の情報処理端末によって録音サーバーに音楽トラックデータを送信するステップと、編集者の第３の情報処理端末によって、録音サーバーに記録されている複数のトラックからなる音楽トラックデータを編集して音楽マスタデータを作成するステップとを有する。
【００１４】
また、本発明に係る録音サーバーは、複数のトラックからなる音楽データを、通信ネットワークを介して作成するための録音システムにおける録音サーバーであって、作曲者の第１の情報処理端末によって作曲された曲の設定情報を第１の情報処理端末から受信して設定ファイルを作成し、録音者の第２の情報処理端末から音楽トラックデータを受信し、編集者の第３の情報処理端末によって複数のトラックからなる音楽トラックデータが編集された音楽マスタデータが作成される。
【００１５】
また、本発明に係るコンピュータプログラムは、複数のトラックからなる音楽データを、録音サーバーによって通信ネットワークを介して作成するためのコンピュータプログラムであって、作曲者の第１の情報処理端末によって作曲された曲の設定情報を第１の情報処理端末から受信して設定ファイルを作成し、録音者の第２の情報処理端末から音楽トラックデータを受信し、編集者の第３の情報処理端末によって複数のトラックからなる音楽トラックデータが編集された音楽マスタデータが作成される処理をコンピュータに実行させる。
【００１６】
【発明の実施形態】
以下、本発明の具体的な実施形態について、図面を参照して説明する。
【００１７】
（録音システムの構成）
本実施形態の録音システムは、作曲申請者、録音者、編集者、音楽トラックデータを発注した注文者である各利用者の各ユーザー端末によって、いわゆる楽曲のレコーディング作業を、通信ネットワークを介して協同して行うためのシステムである。
【００１８】
図１に示すように、本実施形態の録音システムは、各ユーザー毎に設けられているユーザー端末１０ａ〜１０ｄと、各ユーザー端末１０ａ〜１０ｄと情報通信を行って録音を行うための録音センタ１１と、各ユーザー端末１０ａ〜１０ｄと録音センタ１１とを相互に接続するインターネット等の通信ネットワーク１２とを備えて構成されている。
【００１９】
録音センタ１１は、各ユーザー端末１０ａ〜１０ｄと情報通信を行う録音サーバー１３と、この録音サーバー１３を介して各種情報が記録されるデータベース１４とを有している。
【００２０】
各ユーザー端末１０ａ〜１０ｄとしては、例えばパーソナルコンピュータ等の情報処理装置が用いられる。図２に示すように、作曲申請者のユーザー端末１０ａは、録音サーバー１３が提供している楽曲情報にアクセスし、ユーザー情報、作曲申請、該当する楽曲情報を画面に表示する機能を有している。楽曲情報としては、例えば、曲名、作曲者名、演奏時間、テンポ（拍数）等が挙げられる。
【００２１】
また、各ユーザー端末１０ａ〜１０ｄは、図３に示すように、現時点での設定ファイルおよび音楽トラックデータを録音サーバー１３からダウンロードし、自分のユーザー端末１０ａ〜１０ｄに展開して、画面に表示する機能を有している。
【００２２】
また、録音者のユーザー端末１０ｂは、展開した情報に基づいて、自らの楽曲を録音した音楽トラックデータを、自分のユーザー端末１０ｂ内に保存し、録音サーバー１３にアップロードする機能、および直接録音サーバー１３に送信する機能を有している。
【００２３】
そして、編集者のユーザー端末１０ｃは、図４に示すように、現時点での設定ファイルおよび音楽トラックデータをダウンロードし、自分のユーザー端末１０に展開し、画面に表示し、編集する機能を有する。また、編集者のユーザー端末１０ｃは、編集者が編集した内容を、マスタ設定ファイルとして生成する機能や、録音サーバー１３に送信する機能を有している。
【００２４】
注文者のユーザー端末１０ｄは、図５に示すように、マスタ設定ファイルに基づいて作成される音楽マスタデータをダウンロードする機能を有している。
【００２５】
録音サーバー１３は、サービスの提供者により使用され、例えばワークステーション・サーバ等の情報処理装置によって構成されている。録音サーバー１３は、録音者によってユーザー端末１０ｂから送信された音楽トラックデータ情報を受信するとともに、ユーザー端末１０ｂで録音者が録音作業を行う際に合わせるための設定ファイルを作成し、ユーザー端末１０ｂに送信する機能を有している。また、録音サーバー１３は、編集者が操作することによって、複数トラックに渡って録音されている音楽データのマスタリングを行う機能、および音楽マスタデータを配信する機能を有している。
【００２６】
以上のように構成された録音システムが備える各ユーザー端末１０ａ〜１０ｄについて説明する。
【００２７】
図１に示したように、作曲申請者は、自分のユーザー端末１０ａを用いて、録音サーバー１３にアクセスし、録音したい音楽データの各種設定（曲名、拍子、テンポ等）を行って、設定ファイルを作成する。
【００２８】
録音者は、作成された設定ファイルをダウンロードし、設定ファイルに合わせて自らの音楽トラックデータを録音する。録音した音楽トラックデータを、通信ネットワーク１２を介して録音サーバー１３にアップロードする場合には、自分のユーザー端末１０ｂ内に保存した後にアップロードするか、ストリーミングで録音サーバー１３に直接録音するかのいずれかを選択することが可能にされている。
【００２９】
編集者は、自分のユーザー端末１０ｃを用いて、録音サーバー１３にアクセスし、録音サーバー１３上で、複数トラックに録音されている音楽トラックデータの編集を行い、例えばイコライザーパラメータ・パンニング等の音質設定をして、音楽マスタデータを作成する。編集者は、このように作成された音楽マスタデータを、録音サーバー１３から通信ネットワーク１２を介して自分のユーザー端末１０ｃにダウンロードすることができる。
【００３０】
なお、本実施形態の録音システムは、録音者によって利用される情報処理端末としてユーザー端末１０ｂのみを備える構成にされたが、例えば、複数の演奏者や複数の歌唱者が各々他のユーザー端末を介して音楽トラックデータを更新するように構成されて好適である。
【００３１】
（録音システムの処理）
次に、本実施形態の録音システムを用いた録音方法について、図面を参照して詳細に説明する。
【００３２】
なお、通信ネットワーク１２としては、例えばインターネットが適用されるが、例えば専用回線による他のネットワーク等に適用されてもよいことは勿論である。
【００３３】
図２に示すように、作曲申請者は、自分のユーザー端末１０ａを介して、録音サーバー１３がネットワーク上に開設している録音スタジオのホームページにアクセスする。このとき、作曲申請者は、録音システムが提供するサービスに接続するために、所定の認証を経てログインする（ステップ１０１）。
【００３４】
作曲申請者によるユーザー端末１０ａのアクセスに応答して、録音サーバー１３は、作曲申請者に対応するユーザー情報および楽曲情報をユーザー端末１０ａに送信する（ステップ１０２）。
【００３５】
録音サーバー１３は、録音センタ１１のデータベース１４に利用状況を要求し（ステップ１０３）、データベース１４から利用状況を取得する（ステップ１０４）。作曲申請者のユーザー端末１０ａは、録音サーバー１３が取得した利用状況を録音サーバー１３から受信し（ステップ１０５）、トップ画面を表示する（ステップ１０６）。
【００３６】
続いて、ユーザー端末１０ａには、例えば図６に示すような画面が表示され、この画面の表示内容を参照して、作曲申請者は、新規の楽曲を作成する際に、作成を希望する楽曲のジャンル等の設定情報を入力する（ステップ１０７）。画面には、例えば、曲名、作曲者名、演奏時間、テンポ（拍数）の楽曲情報やステータス情報が表示される。
【００３７】
入力された設定情報は、通信ネットワーク１２を介してユーザー端末１０ａから録音サーバー１３に送信される（ステップ１０８）。録音サーバー１３は、受信した設定情報に基づいて、設定ファイルを作成し、この設定ファイルをデータベース１４に保存する（ステップ１０９）。
【００３８】
一方、図３に示すように、録音者は、自分のユーザー端末１０ｂを介して、録音サーバー１３がネットワーク上に開設している録音スタジオのホームページにアクセスする。なお、このとき、録音者は、図示しないが、作曲申請者と同様に、録音システムが提供するサービスに接続するために、所定の認証を経てログインする。
【００３９】
編集者が、画面上で、編集を希望する楽曲を選択する（ステップ１１１）ことで、ユーザー端末１０ｂは、録音サーバー１３に曲選択情報を送信する。この曲選択情報に基づいて、録音サーバー１３は、データベース１４に曲情報を要求する（ステップ１１２）。データベース１４は、トラックデータおよび設定ファイルを要求し（ステップ１１４，１１５）、トラックデータおよび設定ファイルを取得する（ステップ１１６，１１７）。これによって、録音サーバー１３は、曲情報を取得する（ステップ１１８）。
【００４０】
録音者によるユーザー端末１０ｂのアクセスに応答して、録音サーバー１３は、録音者に対応するユーザー情報および楽曲情報をユーザー端末１０ｂに送信する。ユーザー情報および楽曲情報を受信する（ステップ１１９）ことによって、ユーザー端末１０ｂには、画面に、例えば図６に示したような各種の楽曲情報が表示される。
【００４１】
録音者は、ユーザー端末１０ｂの画面に表示された各種楽曲情報を閲覧し、録音を希望する楽曲を決定して、設定ファイルをダウンロードするための操作を画面上で入力する。録音者のユーザー端末１０ｂには、設定ファイルおよび他の音楽トラックデータが、録音サーバー１３からダウンロードされて展開され、例えば図７に示すような画面が表示される。画面には、図７に示すように、楽曲情報や複数のトラック毎の状況等が表示される。
【００４２】
録音者は、ダウンロードした設定ファイルに合わせて、自らの音楽トラックデータをユーザー端末１０ｂで録音する。このとき、録音作業では、録音サーバー１３に対して、ストリーミングで直接アップロードするか、ユーザー端末１０ｂに一時保存した後にアップロードする。
【００４３】
次に、図４に示すように、編集者は、自分のユーザー端末１０ｃを介して、録音サーバー１３がネットワーク上に開設している録音スタジオのホームページにアクセスする。なお、このとき、編集者は、図示しないが、上述の作曲申請者、録音者と同様に、録音システムが提供するサービスに接続するために、所定の認証を経てログインする。
【００４４】
編集者によるユーザー端末１０ｃのアクセスに応答して、録音サーバー１３は、編集者に対応するユーザー情報および楽曲情報をユーザー端末１０ｃに送信する。ユーザー情報および楽曲情報を受信したユーザー端末１０ｃには、画面に、例えば図６に示した各種の楽曲情報が表示される。
【００４５】
編集者は、ユーザー端末１０ｃの画面に表示された各種楽曲情報を閲覧し、編集を希望する楽曲を決定して、編集画面に移行する。ユーザー端末１０ｃには、録音サーバー１３から現状の設定ファイルおよび各音楽トラックデータをダウンロードして展開することで、例えば図８に示すような編集画面が表示され、この編集画面に沿って編集者が編集作業を行う。図８に示すように、編集画面には、楽曲情報や各トラックの各種編集内容等がそれぞれ表示される。編集者は、編集した際の編集設定情報をマスタ設定ファイルとして保存し、このマスタ設定ファイルを録音サーバー２０にアップロードすることで、マスタ設定ファイルを更新する。
【００４６】
最後に、図５に示すように、注文者は、自分のユーザー端末１０ｄを介して、録音サーバー１３がネットワーク上に開設している録音スタジオのホームページにアクセスする。なお、このとき、注文者は、図示しないが、上述の作曲申請者、録音者、編集者と同様に、録音システムが提供するサービスに接続するために、所定の認証を経てログインする。
【００４７】
注文者によるユーザー端末１０ｄのアクセスに応答して、録音サーバー１３は、編集者に対応するユーザー情報および楽曲情報をユーザー端末１０ｄに送信する。ユーザー情報および楽曲情報を受信したユーザー端末１０ｄには、例えば図９に示したような各種の楽曲情報が画面に表示される。
【００４８】
注文者は、ユーザー端末１０ｄの画面に表示された各種楽曲情報を閲覧して、ダウンロードを希望する楽曲を決定して、ユーザー端末１０ｄに保存するファイル形式等を適宜選択し、ダウンロードを実行する。そして、この録音システムでは、録音者、編集者、注文者の各利用者が、このサービスに対して所定の利用料金をそれぞれ支払う。
【００４９】
上述したように、録音システムは、作曲者によって作曲された曲の設定情報を送信するためのユーザー端末１０ａと、ユーザー端末１０ａから設定情報を受信して設定ファイルが作成される録音サーバー１３と、録音者が録音サーバー１３に音楽トラックデータを送信するためのユーザー端末１０ｂと、編集者が録音サーバー１３に記録されている複数のトラックからなる音楽トラックデータを編集して音楽マスタデータを作成するためのユーザー端末１０ｃとを備えることによって、レコーディング作業が時間や場所に左右されることなく、自由な環境で、複数の利用者によって効率的に協同作業を行うことが可能になる。すなわち、この録音システムによれば、各ユーザー端末１０ａ〜１０ｃによって録音サーバー１３にアクセスすることで、録音作業や編集作業を各個人で必要な時間だけ自由に行うことができる。
【００５０】
したがって、録音システムによれば、例えば録音者が、自らの都合の良いときに、都合の良い場所から音楽トラックデータを録音サーバー１３にアップロードすることができる。従来、録音スタジオの営業時間内で録音スタジオ内でしか、録音することができなかったことに比較して、録音システムは、２４時間好きな場所から録音サーバー１３に音楽トラックデータを送信できるため、創作活動の自由度の向上が図られ、利便性を大幅に向上することができる。
【００５１】
また、録音システムによれば、編集者（注文者）は、自らの好みで任意に設定した音楽マスタデータを録音サーバー１３からダウンロードすることができる。音楽マスタデータは、マスタ設定ファイルによって生成されているため、実際の音楽トラックデータが加工されていないので、必要な回数だけ何回でも、自由に編集することが可能にされている。
【００５２】
なお、本発明に係る録音システムは、楽団等の複数の構成員によって録音や編集がそれぞれ行われるように、更に他のユーザー端末を備える構成にされてもよいことは勿論である。
【００５３】
【発明の効果】
上述したように本発明に係る録音システムによれば、作曲者によって作曲された曲の設定情報を送信するための第１の情報処理端末と、第１の情報処理端末から設定情報を受信して設定ファイルが作成される録音サーバーと、録音者が録音サーバーに音楽トラックデータを送信するための第２の情報処理端末と、編集者が録音サーバーに記録されている複数のトラックからなる音楽トラックデータを編集して音楽マスタデータを作成するための第３の情報処理端末とを備えることによって、レコーディング作業の自由度を向上し、効率的に協同して行うことができる。
【００５４】
また、本発明に係る録音システムは、第３の情報処理端末によって複数のトラックからなる音楽トラックデータが編集された際、第３の情報処理端末が、設定ファイルに基づいて音楽トラックデータの編集内容に対応するマスタ設定ファイルを作成し、マスタ設定ファイルを録音サーバーに送信することによって、マスタ設定ファイルに基づいて音楽マスタデータを生成することできる。したがって、この録音システムによれば、実際の音楽トラックデータを直接加工することなく、音楽マスタデータを得ることが可能になり、必要な回数だけ何回でも、自由に編集することができる。
【図面の簡単な説明】
【図１】本発明に係る録音システムを示す模式図である。
【図２】前記録音システムを示すフローチャートである。
【図３】前記録音システムを示すフローチャートである。
【図４】前記録音システムを示すフローチャートである。
【図５】前記録音システムを示すフローチャートである。
【図６】作曲申請者がユーザー端末で利用する画面を示す図である。
【図７】録音者がユーザー端末で利用する画面を示す図である。
【図８】編集者がユーザー端末で利用する画面を示す図である。
【図９】注文者がユーザー端末で利用する画面を示す図である。
【符号の説明】
１０ａ〜１０ｄ  ユーザー端末
１１  録音センタ
１２  通信ネットワーク
１３  録音サーバー
１４  データベース
【図１】
2005017706.tif 000003
【図２】
2005017706.tif 000004
【図３】
2005017706.tif 000005
【図４】
2005017706.tif 000006
【図５】
2005017706.tif 000007
【図６】
2005017706.tif 000008
【図７】
2005017706.tif 000009
【図８】
2005017706.tif 000010
【図９】
2005017706.tif 000011